(57)【特許請求の範囲】
【請求項１】
回転運動を直線運動に変換して移動体を移送するカメラのレンズ移送機構であって、
駆動側に設けられたリードスクリューと、移動体に設けられ上記リードスクリューと噛合するナット体と、移動体をレンズの光軸方向に移動可能に支持するガイド軸とから成り、
上記ナット体は、上記リードスクリューと噛合するラック部と該ラック部をリードスクリューと噛合する方向へ弾発的に付勢する弾発付勢部と、リードスクリューを挟んでラック部と反対側に位置するストッパ部とを備え、
上記ストッパ部は、リードスクリューの螺条に対向した面に該螺条を受け入れる逃げ凹部を有し、
リードスクリューとラック部との噛み合い深さＡと、リードスクリューとラック部とが完全に噛合した状態における上記逃げ凹部の両側に位置した突起のリードスクリューに対向した面とリードスクリューの歯先との間の間隔Ｂと、同じくリードスクリューとラック部とが完全に噛合した状態における逃げ凹部の奥面とリードスクリューの歯先との間の間隔Ｃとの関係が
Ｃ＞Ａ＞Ｂ
であり、且つ、リードスクリューが上記Ａの距離だけストッパ部側に移動した状態において、逃げ凹部の両側に位置した突起がリードスクリューに干渉しない大きさを有し、
上記ナット体の連結部の側面に係合突起が突設され、該連結部が上記移動体のスリーブ内に位置されたとき、上記係合突起がスリーブの内壁面に形成された係合凹部に係合されることによって、上記ナット体の上記移動体に対する前後方向における位置決めが為され、上記ガイド軸が上記連結部に挿通されることによって、ガイド軸を介して上記移動体と上記ナット体とが連結される
ことを特徴とするカメラのレンズ移送機構。
【発明の詳細な説明】
【０００１】
【発明の属する技術分野】
本発明は新規なカメラのレンズ移送機構に関する。詳しくは、リードスクリューとこれに噛合するラック部を有するナット体とによって構成したカメラのレンズ移送機構において、衝撃時における位置ずれを安価な構成によって防止する技術に関する。
【０００２】
【従来の技術】
回転運動を直線運動に変換して移動体を直線的に移動させるカメラのレンズ移送機構に、リードスクリューとこれに噛合するラック部を備えたナット体とから構成したものがある。
【０００３】
そのようなカメラのレンズ移送機構にあっては、衝撃によってリードスクリューとラック部とが離間したときに、次ぎに噛合するときまでに互いの位置にずれが生じて、移動体の位置ずれを起こしてしまうという問題がある。
【０００４】
そこで、従来より、かかる位置ずれを防止するための種々の方策が採られてきた。
【０００５】
その一例として、特開平５−１１１１５号により開示されたもの（図１０参照）のように、ナット体ａのガイド軸ｂによって案内される主部ｃとラック部ｄとの間に弾性部ｅを介在させ、該弾性部ｅのバネ力によってラック部ｄをリードスクリューｆに押し付け、衝撃時には、この弾性部ｅの作用によってラック部ｄがリードスクリューｆから離間することを回避し、これによって、衝撃時における位置ずれを防止しようとするものがある。
【０００６】
【発明が解決しようとする課題】
ところで、上記した図１０に示したものにあっては、弾性部ｅのバネ力を強くしすぎるとトルクロスが生じ円滑な駆動を阻害してしまう惧があるので、バネ力を高くすることができず、外部衝撃による位置ずれを防止する効果に問題があった。
【０００７】
そこで、特開平３−２９４８１０号により開示されたもの（図１１参照）のように、ナット体にリードスクリューｇと噛合する第１のラック部ｈとリードスクリューｇを挟んで対向するように第２のラック部ｉをリードスクリューｇとの間に僅かの間隔をあけて設け、常時は弾発付勢部ｊによって第１のラック部ｈとリードスクリューｇとが噛合するようにしたもの、又は特開平４−２０４６１２号によって開示されたもの（図１２参照）のように、ナット体ｋにリードスクリューｌと噛合するラック部ｍ、ｍと該ラック部ｍ、ｍにリードスクリューｌを挟んで対向するようにストッパ部ｎ、ｎをリードスクリューｌとの間に僅かの間隔をあけて設け、弾発付勢部ｏによってラック部ｍ、ｍをリードスクリューｌに押し付けておくようにしたものがある。
【０００８】
しかしながら、後者のもの（図１２参照）にあっては、ストッパ部ｎ、ｎとリードスクリューｌとの間の間隔が狭いと、部品のバラツキにより通常時に両者が干渉を起こしたり、常温で両者の間に隙間があってもそれぞれの材料の線膨張係数の違いから、低温又は高温下で両者が干渉を起こす惧がある。また、ストッパ部ｎ、ｎとリードスクリューｌとの間の間隔が広いと、衝撃が加わってラック部ｍ、ｍがリードスクリューｌから外れてもリードスクリューｌがストッパ部ｎ、ｎに当接せず、位置ずれを起こしてしまう惧がある。
【０００９】
そして、これらを解決するためには、ストッパ部ｎ、ｎの寸法精度を極めて高くする必要があり、且つ、寸法のバラツキを抑えるための管理が必要となり、きわめて高価のものとなってしまうという問題がある。
【００１０】
また、前者のもの（図１１参照）にあっても、リードスクリューｇと第２のラック部ｉとの間の間隔の制御に高い精度を必要とするばかりでなく、衝撃時にリードスクリューｇを第２のラック部ｉに噛合させ、衝撃が去ったときに、第１のラック部ｈをリードスクリューｇの元の位置に正確に噛合させるには、２つのラック部ｈ、ｉのラックピッチを高精度に整合させておく必要があり、きわめて高価なものとなってしまうという問題がある。
【００１１】
そこで、本発明は、衝撃時における位置ずれを安価な構成によって防止することを課題とする。
【００１２】
【課題を解決するための手段】
本発明カメラのレンズ移送機構は、上記した課題を解決するために、駆動側に設けられたリードスクリューと、移動体に設けられリードスクリューと噛合するナット体と、移動体をレンズの光軸方向に移動可能に支持するガイド軸とから成り、ナット体は、リードスクリューと噛合するラック部と該ラック部をリードスクリューと噛合する方向へ弾発的に付勢する弾発付勢部と、リードスクリューを挟んでラック部と反対側に位置するストッパ部とを備え、上記ストッパ部は、リードスクリューの螺条に対向した面に該螺条を受け入れる逃げ凹部を有し、リードスクリューとラック部との噛み合い深さＡと、リードスクリューとラック部とが完全に噛合した状態における上記逃げ凹部の両側に位置した突起のリードスクリューに対向した面とリードスクリューの歯先との間の間隔Ｂと、同じくリードスクリューとラック部とが完全に噛合した状態における逃げ凹部の奥面とリードスクリューの歯先との間の間隔Ｃとの関係が
Ｃ＞Ａ＞Ｂ
であり、且つ、リードスクリューが上記Ａの距離だけストッパ部側に移動した状態において、逃げ凹部の両側に位置した突起がリードスクリューに干渉しない大きさを有し、ナット体の連結部の側面に係合突起が突設され、該連結部が上記移動体のスリーブ内に位置されたとき、上記係合突起がスリーブの内壁面に形成された係合凹部に係合されることによって、上記ナット体の上記移動体に対する前後方向における位置決めが為され、上記ガイド軸が上記連結部に挿通されることによって、ガイド軸を介して上記移動体と上記ナット体とが連結されるものである。
【００１３】
従って、本発明カメラのレンズ移送機構にあっては、衝撃時には、リードスクリューの螺条が逃げ凹部内に入ることによってリードスクリューとナット体との位置関係が規定されるので、位置ずれを起こさず、しかも、そのための条件としては、上記Ａ、Ｂ、Ｃ間の寸法関係と逃げ凹部の両側に位置した突起の寸法のみを管理すれば良く、安価に構成することができる。また、移動体のスリーブ内に連結手段であるナット体の連結部を挿入し、スリーブの内壁面に設けた係合凹部にナット体の連結部に突設された係合突起を係合させるとともに一本のガイド軸を一対の軸受部とナット体の連結部に貫通させて、ナット体を移動体に結合させる構成になっているため、一本のガイド軸でナット体と移動体を結合し、且つナット体の係合突起を移動体の係合凹部に嵌合させているため、ナット体と移動体との光軸方向と直交する方向のガタツキを防止することができる。そして、ナット体の連結部を移動体のスリーブ内に挿入するとともに、ガイド軸が一対の軸受部とナット体の連結部に貫通しているため、外部から衝撃が加わっても、ナット体と移動体の結合が外れるおそれがない。そのため、ナット体と移動体のガタツキを防止でき、ナット体を移動体に確実に結合させることができる。
【００１４】
【発明の実施の形態】
以下に、本発明の実施の形態を添付図面を参照して説明する。
【００１５】
図１乃至図４は本発明の基本概念を示すものである。
【００１６】
移送機構１はリードスクリュー２とナット体３とから成る。リードスクリュー２はその軸方向が図示しない移動体を移送する方向に延びており、モータ等の駆動源により回転されるようになっている。
【００１７】
ナット体３は移動体と連結されると共に、上記リードスクリュー２と噛合されており、リードスクリュー２が回転することによってリードスクリュー２の軸方向に送られ、これによってナット体３と連結されている移動体がリードスクリュー２の軸方向に送られることになる。
【００１８】
ナット体３は一の壁部４とこの壁部に対向して設けられた別の壁部５、５を有し、一の壁部４のうち別の壁部５、５に対向した部分６、６にラック歯が形成されてラック部とされ、別の壁部５、５がストッパ部とされる。なお、ラック部６、６は１つの壁部にではなく、それぞれ別個の壁部として形成されても良いが、図示したように、１つの壁部に形成することによって、剛性が高くなり、位置精度が向上する。また、ラック部は一の壁部４の２つの部分６、６に分けて形成しなければならないものでもなく、該壁部４の全長に亘ってラック歯を形成した１つのラック部として形成しても良い。さらに、ストッパ部５、５もそれぞれのラック部６、６に対応して２個設ける必要はないが、図示したようにした方が、衝撃時の位置ずれを確実に防止することができる。
【００１９】
各ストッパ部５、５にはその前後方向における中央部にラック部６、６の方へ突出した突部７、７が形成されており、該突部７、７にラック部６、６のラック歯の延びる方向と同じ方向に延びる溝状をした逃げ凹部８、８が形成されている。
【００２０】
上記ストッパ部５と５との間の位置にバネ材料から成る弾発付勢部９が配設されている。
【００２１】
そして、上記リードスクリュー２がラック部６、６とストッパ部５、５との間に位置され、弾発付勢部９がストッパ部５、５の側からリードスクリュー２に弾接され、これによって、リードスクリュー２の螺条とラック部６、６のラック歯とが噛合される。
【００２２】
そして、リードスクリュー２の螺条とラック部６、６のラック歯とが完全に噛合された状態において、リードスクリュー２とラック部６、６との噛み合い深さＡと、逃げ凹部８、８の両側に位置した突起１０、１０、・・・のリードスクリュー２に対向した面とリードスクリュー２の歯先との間の間隔Ｂと、逃げ凹部８の奥面とリードスクリュー２の歯先との間の間隔Ｃとの関係が
Ｃ＞Ａ＞Ｂ
であり（図３参照）、且つ、リードスクリュー２が上記Ａの距離だけストッパ部５、５側に移動した状態において、逃げ凹部８、８の両側に位置した突起１０、１０、・・・がリードスクリュー２に干渉しない大きさを有する（図４参照）。
【００２３】
なお、図示したものにあっては、逃げ凹部８をストッパ部５のラック部６に対向した面に形成した突部７に形成したが、これはストッパ部５のラック部６に対向した面に直接形成しても良い。しかしながら、そのようにするとストッパ部５の前後幅が小さくなり（逃げ凹部の両側に形成される突起１０、１０の大きさを制限する必要があるため）、その剛性が低くなるので、上記したようにストッパ部５に形成した突部７に逃げ凹部８を形成することが好ましい。
【００２４】
しかして、上記した移送機構１において、衝撃が加わり、ナット体３が、そのラック部６、６とリードスクリュー２との噛合が外れる方向に移動したときに、上記Ａより小さいＢ以上に移動すれば、リードスクリュー２の螺条が逃げ凹部８内に位置されるので（図４参照）、ナット体３がリードスクリュー２の軸方向に移動しようとしても、リードスクリュー２の螺条が逃げ凹部８内で移動できる範囲でしか移動することができず、従って、衝撃が去った後に、弾発付勢部９の押圧力によって、ラック部６がリードスクリュー２の衝撃前に噛合していた位置と再び噛合することができ、衝撃による位置ずれを回避することができる。
【００２５】
なお、衝撃時にナット体３が前後方向に移動しようとしたときに、リードスクリュー２の螺条が逃げ凹部８の両側に位置した突起１０、１０と当接することがあるので、このようなときに、リードスクリュー２の螺条が突起１０、１０の稜線部で傷つくことがないように、該突起１０、１０の先端部の両側の稜線部に丸味のある面取り加工を施しておくと良い。
【００２６】
上記した移送機構１にあっては、上記、Ｃ＞Ａ＞Ｂの条件に対して、逃げ凹部８の深さＤの設計上の自由度が大きく、Ｃの値を大きくすることが容易である。
【００２７】
従って、ナット体３の精度を厳しくしなくても良く、さらに、精度を厳しくしなくても良い分、部品のバラツキに対する管理も厳しくする必要が無く、安価に製造することができる。
【００２８】
なお、上記した例では、１つのストッパ部５に１つの逃げ凹部８を形成したものを示したが、これは、１つのストッパ部５に２つ（図５参照）又はそれ以上の逃げ凹部を形成するようにしても良い。
【００２９】
【実施例】
次に、本発明の実施の一例について説明する。
【００３０】
レンズ鏡筒１１の骨格部は、前部鏡筒１２が中間鏡筒１３の前端部に、また、後部鏡筒１４が中間鏡筒１３の後端部に、それぞれタッピングビス１５、１５、・・・によって固定されることによって形成される。
【００３１】
前部鏡筒１２には第１群レンズ１６がカシメ等によって固定支持される。
【００３２】
第１の移動枠１７が前部鏡筒１２と中間鏡筒１３とによって形成された空間内に前後方向に移動可能に支持される。第１の移動枠１７は上端部に前後方向に延び上方に開口した樋状をしたスリーブ部１８を有し、該スリーブ部１８の前後両端部に軸受部１９、１９が設けられている。また、第１の移動枠１７の下端部にはＵ字状の切欠を有した案内片２０が突設されており、枠部２１に第２レンズ群２２がカシメ等により固定支持されている。
【００３３】
そして、前部鏡筒１２と中間鏡筒１３との間にはガイド軸２３ａ、２３ｂが架け渡し状に支持されており、上側のガイド軸２３ａが第１の移動枠１７の軸受部１９、１９に挿通され、下側のガイド軸１３ｂに第１の移動枠１７の案内片２０のＵ字状切欠が摺動自在に係合されていて、これによって、第１の移動枠１７は前後方向に移動自在に支持される。
【００３４】
中間鏡筒１３には、第３レンズ群２４がカシメ等により固定支持され、また、アイリス２５が前端部に固定される。
【００３５】
第２の移動枠２６が中間鏡筒１３と後部鏡筒１４とによって形成された空間内に前後方向に移動可能に支持される。第２の移動枠２６は上端部に前後方向に延び上方に開口した樋状をしたスリーブ部２７を有し、該スリーブ部２７の前後両端部に軸受部２８、２８が設けられている。また、第２の移動枠２６の下端部にはＵ字状の切欠を有した案内片２９が突設されており、枠部３０に第４レンズ群３１がカシメ等により固定支持されている。
【００３６】
そして、中間鏡筒１３と後部鏡筒１４との間にはガイド軸３２ａ、３２ｂが架け渡し状に支持されており、上側のガイド軸３２ａが第２の移動枠２６の軸受部２８、２８に挿通され、下側のガイド軸３２ｂに第２の移動枠２６の案内片２９のＵ字状切欠が摺動自在に係合されていて、これによって、第２の移動枠２６は前後方向に移動自在に支持される。
【００３７】
後部鏡筒１４には撮像素子取付部３３が形成されており、ここに図示しないＣＣＤ等の固体撮像素子が取り付けられる。
【００３８】
そして、第２群レンズ２２が移動することにより画角の変倍、すなわち、ズーミングが行われ、また、第４群レンズ３１が移動することによって上記画角の変倍に伴う像面変動の補正とピント合わせ、すなわち、フォーカシングが為される。
【００３９】
そして、本発明は上記第１の移動枠１７及び第２の移動枠２６を光軸方向に移動させる機構として適用されている。
【００４０】
なお、第１の移動枠１７を移動させる移送機構と第２の移動枠２６を移動させる移送機構とはほぼ同じ構成を有しているので、第１の移動枠１７を移動させる第１の移送機構３４について詳細に説明し、第２の移動枠を移動させる第２の移送機構３４′については説明を省略し、第２の移送機構３４′の第１の移送機構３４におけると同様の部分には第１の移送機構３４における同様の部分に付した符号と同じ符号に「′」を付加した符号を付して示す。
【００４１】
第１の移動枠１７のスリーブ部１８にナット体３５が連結される。
【００４２】
該ナット体３５は、前後方向に延びる円筒状をした連結部３６を有し、該連結部３６の上方に一の壁部３７が立設され、該壁部３７の一方の面のうち前後に離間した部分３８、３８にラック歯３９、３９、・・・が形成されて該部分がラック部とされる。
【００４３】
また、上記ラック部３８、３８に所定の間隔をあけて対向した別の壁部４０、４０が形成され、該壁部４０、４０がストッパ部とされる。そして、該ストッパ部４０、４０にはラック部３８、３８の側へ突出した突部４１、４１が形成され、該突部４１、４１のラック部３８、３８に対向した面にラック部３８、３８のラック歯３９、３９の延びる方向と同じ方向に延びる溝状の逃げ凹部４２、４２が形成される。
【００４４】
さらに、２つのストッパ部４０と４０との間の部分にはバネ材料から成る弾発付勢部４３が配設されている。
【００４５】
上記連結部３６の位置の側面には係合突起３６ａが突設されており、該連結部３６が第１の移動枠１７のスリーブ部１８内に位置され、このとき、その係合突起３６ａがスリーブ部１８の一方の内壁面に形成された係合凹部１８ａと係合され、これによって、ナット体３５の第１の移動枠１７に対する前後方向における位置決めが為される。そして、上記ガイド軸２３ａが連結部３６に挿通され、これによって、ガイド軸２３ａを介して第１の移動枠１７とナット体３５とが連結される。
【００４６】
中間鏡筒１３の上部に駆動ユニット４４が取り付けられる。
【００４７】
該駆動ユニット４４は側方から見てほぼ倒立凹字状をしたブラケット４５の一方の支持片４５ａの外側にステッピングモータ４６が固定され、２つの支持片４５ａ、４５ｂ間に回転可能に支持されたリードスクリュー４７がステッピングモータ４６の回転軸と連結されて成る。このような駆動ユニット４４が中間鏡筒１３の上部に固定されることによって、そのリードスクリュー４７が上記ナット体３５のラック部３８、３８とストッパ部４０、４０との間に位置され、弾発付勢部４３がリードスクリュー４７にラック部３８、３８の反対側から弾接することによって、リードスクリュー４７の螺条とラック部３８、３８のラック歯３９、３９、・・・とが噛合される。そして、ナット体３５のラック部３８、３８やストッパ部４０、４０の各部とリードスクリュー４７との間の寸法関係は上記基本概念の説明で述べたのと同様の関係となっている。
【００４８】
そして、各移送機構３４、３４′のステッピングモータ４６、４６′が駆動されてリードスクリュー４７、４７′が回転されることによって、ナット体３５、３５′が前後方向に送られることになり、これらナット体３５、３５′と連結されている移動枠１７、２６が前後方向に移動せしめられる。
【００４９】
【発明の効果】
以上に記載したところから明らかなように、本発明は、回転運動を直線運動に変換して移動体を移送するカメラのレンズ移送機構であって、駆動側に設けられたリードスクリューと、移動体に設けられ上記リードスクリューと噛合するナット体と、移動体をレンズの光軸方向に移動可能に支持するガイド軸とから成り、上記ナット体は、上記リードスクリューと噛合するラック部と該ラック部をリードスクリューと噛合する方向へ弾発的に付勢する弾発付勢部と、リードスクリューを挟んでラック部と反対側に位置するストッパ部とを備え、上記ストッパ部は、リードスクリューの螺条に対向した面に該螺条を受け入れる逃げ凹部を有し、リードスクリューとラック部との噛み合い深さＡと、リードスクリューとラック部とが完全に噛合した状態における上記逃げ凹部の両側に位置した突起のリードスクリューに対向した面とリードスクリューの歯先との間の間隔Ｂと、同じくリードスクリューとラック部とが完全に噛合した状態における逃げ凹部の奥面とリードスクリューの歯先との間の間隔Ｃとの関係が
Ｃ＞Ａ＞Ｂ
であり、且つ、リードスクリューが上記Ａの距離だけストッパ部側に移動した状態において、逃げ凹部の両側に位置した突起がリードスクリューに干渉しない大きさを有し、上記ナット体の連結部の側面に係合突起が突設され、該連結部が上記移動体のスリーブ内に位置されたとき、上記係合突起がスリーブの内壁面に形成された係合凹部に係合されることによって、上記ナット体の上記移動体に対する前後方向における位置決めが為され、上記ガイド軸が上記連結部に挿通されることによって、ガイド軸を介して上記移動体と上記ナット体とが連結されることを特徴とする。
【００５０】
従って、本発明にあっては、衝撃時には、リードスクリューの螺条が逃げ凹部内に入ることによってリードスクリューとナット体との位置関係が規定されるので、位置ずれを起こすことがない。
【００５１】
しかも、そのための条件としては、上記Ａ、Ｂ、Ｃ間の寸法関係と逃げ凹部の両側に位置した突起の寸法のみを管理すれば良く、安価に構成することができる。すなわち、上記Ｃ＞Ａ＞Ｂの条件に対して、逃げ凹部８の深さの設計上の自由度が大きく、Ｃの値を大きくすることが容易である。従って、ナット体３の精度を厳しくしなくても良く、さらに、精度を厳しくしなくても良い分、部品のバラツキに対する管理も厳しくする必要が無く、安価に製造することができる。また、移動体のスリーブ内に連結手段であるナット体の連結部を挿入し、スリーブの内壁面に設けた係合凹部にナット体の連結部に突設された係合突起を係合させるとともに一本のガイド軸を一対の軸受部とナット体の連結部に貫通させて、ナット体を移動体に結合させる構成になっているため、一本のガイド軸でナット体と移動体を結合し、且つナット体の係合突起を移動体の係合凹部に嵌合させているため、ナット体と移動体との光軸方向と直交する方向のガタツキを防止することができる。そして、ナット体の連結部を移動体のスリーブ内に挿入するとともに、ガイド軸が一対の軸受部とナット体の連結部に貫通しているため、外部から衝撃が加わっても、ナット体と移動体の結合が外れるおそれがない。そのため、ナット体と移動体のガタツキを防止でき、ナット体を移動体に確実に結合させることができる。
【００５５】
なお、上記した実施の形態及び実施例において示した各部の形状及び構造は、何れも本発明を実施するに際して行う具体化のほんの一例を示したものに過ぎず、これらによって本発明の技術的範囲が限定的に解釈されることがあってはならないものである。
【図面の簡単な説明】
【図１】  図２乃至図４と共に本発明の基本概念を示すものであり、本図は平面図である。
【図２】  正面図である。
【図３】  要部の拡大平面図である。
【図４】  衝撃時における要部の拡大平面図である。
【図５】  変形例を示す平面図である。
【図６】  図７乃至図９と共に本発明の実施の一例を示すものであり、本図はレンズ鏡筒の縦断面図である。
【図７】  レンズ鏡筒の概略分解斜視図である。
【図８】  要部の拡大斜視図である。
【図９】  リードスクリューとこれを駆動する機構の拡大斜視図である。
【図１０】  従来の移送機構の一例を示す概略図である。
【図１１】  従来の移送機構の別の例を示す概略平面図である。
【図１２】  従来の移送機構のさらに別の例におけるナット体を示す概略斜視図である。
【符号の説明】
１…カメラのレンズ移送機構、２…リードスクリュー、３…ナット体、５…ストッパ部、６…ラック部、７…突部、８…逃げ凹部、９…弾発付勢部、１０…逃げ凹部の両側に位置した突起、１７…第１の移動枠（移動体）、１８…スリーブ、１８ａ…係合凹部、２３ａ…ガイド軸、２６…第２の移動枠（移動体）、３４、３４′…移送機構、３５、３５′…ナット体、３６…連結部、３６ａ…係合突起、３８、３８′…ラック部、４０、４０′…ストッパ部、４１、４１′…突部、４２、４２′…逃げ凹部、４３、４３′…弾発付勢部、４７、４７′…リードスクリュー
【図１】
0004022980.tif 000002
【図２】
0004022980.tif 000003
【図３】
0004022980.tif 000004
【図４】
0004022980.tif 000005
【図５】
0004022980.tif 000006
【図６】
0004022980.tif 000007
【図７】
0004022980.tif 000008
【図８】
0004022980.tif 000009
【図９】
0004022980.tif 000010
【図１０】
0004022980.tif 000011
【図１１】
0004022980.tif 000012
【図１２】
0004022980.tif 000013